(57)【要約】      （修正有）【課題】視聴者にとっては煩わしいテレビでの広告の、その煩わしさを和らげることにより、テレビ広告視聴時の不快感を解決。【解決手段】従来のテレビ用モニターとは別に、テレビにパーソナルコンピューターを内蔵し、該モニターの外周部分に放送による広告放映及びネット配信放映の２種類の方法が可能な広告専用モニター機能を装着して、テレビ用モニターと広告モニターが同時に稼動して、従来のテレビモニターにテレビ放映とテレビ放映を中断して広告が放映される時間と同時間、該広告専用モニターに広告放映及び生活に密着した情報・公報等が放映及びネット配信の２種類での放映がされる。該広告専用モニターの広告の放映により、該アドテレビ所有者に広告料の一部が還元され、単に広告を視聴する煩わしさの他に、収入を得ること及び生活の利便性を与える事により、精神的な煩わしさを和らげるよう配慮されたシステムを特徴とするアドテレビ。【選択図】図２
2010130675.tif 000002
【特許請求の範囲】
【請求項１】
現在のテレビ放送と広告用放送を同時に行うことが可能な装置を装着した新しいテレビ（以下「アドテレビ」という）を製作するもので、現在のテレビ放送は、テレビ放送の途中にテレビ放送を中止して、広告用のテレビ放送を放映するシステムであるが、本発明は、テレビ画像表示装置（以下「モニター」という）の周囲に広告用専用のモニター）を設置して、テレビ用電源スイッチをオンにすると同時に、自動的に広告用電源スイッチがオンになるように連結し、それぞれのテレビ用モニター及び広告用モニターが、同時に別々の内容を放映（音声を含む）するように、画像表示機器を内蔵装着して、テレビ放映時間と同時間、新しい独自の広告の放映を行うアドテレビ。
【請求項２】
上記表示の広告専用のモニターに、放送用の受信機能の他にネット送信のメール受信機能をモニター裏側に内蔵させネット配信による画像及び音声を映し出し、テレビ放送用とネット配信の２種類の方法を使用して広告を行なうアドテレビ。
【発明の詳細な説明】
【技術分野】
【０００１】  本発明は、現在使用しているテレビに替えて、アドテレビ（本発明によるテレビ名称）という名称のテレビ放映と広告用放映を同時に行える画像表示装置を設置したテレビであり、該アドテレビを使用して新たな広告を行うもので、その該アドテレビには、テレビ用画像表示装置であるモニター（１）の周囲に広告用画像表示装置であるモニター（３）を設置し、外部のテレビ放映のテレビ用電源スイッチ（７）と内蔵している広告用電源スイッチ（８）を連結して、テレビ放映と同時に広告用放映ができるようにして、尚、広告用放映が本来のテレビ放映の支障にならないように広告用画像と音声を調節した広告放映及び生活に密着した情報・公報等を、テレビ放映と同時に行なって、新しい広告をすることを主体にしたテレビ用及び広告用同時放映のアドテレビの製作。
上記とは別に、広告専用モニターと内蔵するパーソナルコンピューターを接続し、有線及び無線によるネット配信を受信する機能を装着させ、ネット配信をして、テレビ放送とネット配信の２種類の方法にて広告を該広告専用モニターに映し出して広告をする。
【背景技術】
【０００２】  一般に、現在の民間によるテレビ放映は、テレビ放映と広告放映が同時に行われないで、テレビ放映を中断して広告の放映が別々に行われており、この広告の放映によって民放テレビ経営が成り立って、民放が行われているのが現状である。
一面、民放テレビにはＮＨＫの公共放送にない楽しさや面白さがあるが、しかし、やはりテレビ視聴者にとって、広告の時間帯は煩わしいものであると感じる等、不便がある。
【発明の開示】
【発明が解決しようとする課題】
【０００３】  本発明は、上記従来のテレビによる広告時間帯の煩わしさ等の不便のみを感じる欠点の解決を図るもので、その目的は、広告の煩わしさ等の不便さ以上に、新しい本発明による広告放映から生じる広告収入の一部還元及び生活に密着した情報・公報等を放映して、視聴者にメリットを与え、そのメリットによって従来視聴していた広告の煩わしさを和らげる効果をもたらす解決策を持った広告をすること。
【課題を解決するための手段】
【０００４】  上記目的を解決するために、本発明のアドテレビは、テレビモニターの周囲に広告専用のモニターを配置して、テレビスイッチをオンにすると同時に、広告用モニターもスイッチがオンになり、テレビモニターが放映される時間に、テレビモニターでの広告以外に独自の広告を放映して、広告収入を図り、その収入の一部を視聴者に還元できるようにして、広告時間帯の視聴に対する煩わしさ感を和らげるものとしたアドテレビの製作。
上記の他に、広告専用モニターに内蔵するパーソナルコンピューターを接続し、有線及び無線によるネット配信を受信する機能を装着させ、ネット配信を使用して、画像と音声を該広告専用モニターに映し出して広告をする。放送局による画像表示及びネット配信による画像表示の２種類の画像表示を行ない、広告をすることができる。
【発明の効果】
【０００５】  現在行われているテレビ放映を中断してその同じテレビモニターに広告を放映する広告以外に、本発明は、テレビスイッチがオンになっている時間帯に、新しくテレビモニターとは別に、広告専用のモニターに広告放映及び生活に密着した情報・公報等を独自に放映することで、新しいアドテレビが持つ情報等を通知する利便性の外に広告収入の一部を、アドテレビ所有者に還元する。例えば、テレビ放映時間に応じたポイント制による現金を還元する、電気代の一部を自動的に負担して還元する、又は、テレビの製造会社が、そのアドテレビから得る広告収入を予測してその分安く販売して還元する等、現在のテレビ所有者が得られないアドテレビ所有者のみが利益を得られる効果がある。
【発明を実施するための最良の形態】
【０００６】  本発明の最良の用法を説明すると、アドテレビのスイッチをオンにすると同時に、広告専用のモニターがスイッチオンとなるように連結して、該テレビに内蔵されたパーソナルコンピューターを広告専用モニターに接続し、広告専用の受信機及びネット配信機能を使用して、テレビ放映時に広告及び生活に必要な情報を放映するが、その広告の放映に際しては、テレビ放映の視聴に支障の無いように、画像及び音声を調節した広告を広告専用モニターに放映して、独自の広告と利便性を与えるようにする。
【実施例】
【０００７】  本発明の実施例を図面について説明すると、図１には、アドテレビのテレビ専用放映のモニター（１）には、画面を保護する外枠（２）、広告専用放映のモニター（３）、アドテレビ内部（裏側）にテレビ専用画像音声放映装置（４）と広告専用画像音声放映装置（５）、外部からのネット配信の受信装置（６）を内蔵させ、外部にテレビ用電源スイッチ（７）、内部に広告専用電源スイッチ（８）を装着させ、テレビ用電源スイッチ（７）と広告専用電源スイッチ（８）は連結してテレビ用電源スイッチと同時に電源が、オン、オフとなるように配線する。
以上の装置を持ったテレビを視聴する他に、同時に別に広告専用のモニターで広告の放映及び無線ネット配信による広告の２種類の広告を行う。
【図面の簡単な説明】
【０００８】
【図１】アドテレビの装置装着製作正面図
【図２】アドテレビの装置装着製作断面図
【符号の説明】
【０００９】１    テレビ画像表示（モニター）装置
２    外枠
３    広告用画像表示（モニター）装置
４    テレビ専用画像音声放映装置
５    広告専用画像音声放映装置
６    パーソナルコンピューターによるネット配信の受信装置
７    テレビ用電源スィッチ
８    広告用電源スィッチ
【図１】
2010130675.tif 000003
【図２】
2010130675.tif 000004